(57)【要約】【課題】  ダムシステム装置において、建設する際、バイパス河川トンネル無しで、ダム建設を可能とし、発電所を建設する際、ダム自体に内蔵する事を可能とし、ダムの本体を建設する際、工期を短縮する事を可能とする。【解決手段】  連結はＣ字型連結ブロック（６）ストッパとした、中心一辺５ｍの辺部だけの正立方構造体の連結体で、河川水を通過できるようにして、底部には河川流を右岸左岸に交互に導き、放水圧可変吊り下げフィルターベン（１０）付水門（１１）を設置し、底部より上部は塞き止めプレート（８）を設置して、ダムシステムが行えるようにし、ダムシステム維持には、Ｌ字谷のＬ字形の上部側が塞き止めプレート（８）面を設置し、そして、Ｌ字形の下部側に位置する谷斜面に中心一辺５ｍの辺部だけの正立方構造体の連結体を食い込ませ、Ｌ字下部谷斜面自体に塞き止めプレート（８）面に係る貯水水圧を支えさせ、中心一辺５ｍの辺部だけの正立方構造体の連結体が造り出す、正立方構造体空間部に発電所施設を入れ込んだものである。【選択図】      図４
2005194856.tif 000002
【特許請求の範囲】
【請求項１】
パイプ鋼（１）を上下左右前後方向に中心から１ｍ伸ばし、その先端位置にパイプ鋼連結縁付四角盤（２）で塞ぎ設置をし、その全の先端部までに筋交い機能・三角平面鋼（３）を溶着設置した、各両端間２ｍ六直角方向パイプ鋼連結具（４）で、両端連結縁付四角盤付３ｍパイプ鋼（５）を連結していける状態とし、地形がＬ字谷に成っている河川有り谷部に、各両端間２ｍ六直角方向パイプ鋼連結具（４）と両端連結縁付四角盤付３ｍパイプ鋼（５）で連結して、中心一辺５ｍの辺部だけの正立方構造体の連結によって、谷の底部より組上げて、谷を埋め込み、その各両端間２ｍ六直角方向パイプ鋼連結具（４）と両端連結縁付四角盤付３ｍパイプ鋼（５）自体の重量により、Ｌ字谷底面自体に各両端間２ｍ六直角方向パイプ鋼連結具（４）の末端部を食い込み状態にした、河川分流無しで建設可能な中心一辺５ｍ正立方構造体連結架橋ステシステム装置。
【請求項２】
請求項１記載の河川分流無しで建設可能な中心一辺５ｍ正立方構造体連結架橋ステシステム装置の連結において、パイプ鋼連結縁付四角盤（２）と両端連結縁付四角盤付３ｍパイプ鋼（５）のパイプ鋼連結縁付四角盤（２）は同型とし、対面させた後、どちらかの縁部の角部に現れるＬ字部の内側にスライドして、差し入れられるＬ字形ブロック付両サイド下部が縁分長いＣ字型連結ブロック（６）を設置し、そのＣ字型連結ブロック（６）のＣ字型は直角を有すＣ字型とし、その両Ｃ字型中間部から下部方向へ切り溝を先端面を残して設置し、その切り溝に貫通できる四角バー付先端楕円柱Ｔ字型一体バールストッパ（７）の四角バー部を切り溝に貫通させた後、先端楕円柱の先をパイプ鋼連結縁付四角盤（２）の縁の内面部に当て、そこを支点としたバール動作で楕円柱部を移動して、楕円柱部がパイプ鋼連結縁付四角形盤（２）の直角位置より少し過ぎた位置で止まって、Ｃ字型連結ブロック（６）の下部先端内側部とパイプ鋼連結縁付四角盤（２）の縁の内面部間にストッパ圧力を発生させるようにして、各両端間２ｍ六直角方向パイプ鋼連結具（４）と両端連結縁付四角盤付３ｍパイプ鋼（５）を連結させるＣ字型連結ブロックストッパ装置。
【請求項３】
請求項１記載の河川分流無しで建設可能な中心一辺５ｍ正立方構造体連結架橋ステシステム装置の、Ｌ字谷の上流部側の各両端間２ｍ六直角方向パイプ鋼連結具（４）に、上流部河川水を塞き止め実施できる塞き止めプレート（８）を設置できるプレートステ（９）を設置して、そして、底部には河川流を右岸左岸に交互に導き、放水圧可変吊り下げフィルターベン（１０）付水門（１１）を設置し、その後、塞き止めプレート（８）を水漏れ処置をしながら組み上げ、各両端間２ｍ六直角方向パイプ鋼連結具（４）と両端連結縁付四角盤付３ｍパイプ鋼（５）から成る正立方構造体空間部内に、放水圧可変吊り下げフィルターベン（１０）付水門（１１）から放水管（１２）を設置し、その放水管（１２）の間に放水・水車管切替ベン（１３）付水車発電機（１４）を設置して、バイパス河川トンネル無用とボルト無用で建設でき、発電所も内蔵できる、放水圧可変吊り下げフィルターベン付ダムシステム装置。
【発明の詳細な説明】
【発明の詳細な説明】
【技術分野】
【０００１】  本発明は、バイパス河川トンネル無用とボルト無用で建設でき、発電所も内蔵できる、放水圧可変吊り下げフィルターベン付ダムシステム装置に関する。
【背景技術】
【０００２】  従来のダムシステム装置においては、建設にあたり、バイパス河川トンネルは不可欠で有り、組付け部品はボルトが不可欠で有り、発電所を内蔵する事は不可能で有った。
【発明が解決しようとする課題】
【０００３】  従来のダムシステム装置において、建設する際、バイパス河川トンネルでダム建設地への河川水を絶たなくてはならない問題点と、ボルト組付けは作業手間が係る問題点と、発電所を建設する際、ダム自体ド内蔵できない問題点があった。
【課題を解決するための手段】
【０００４】  上記の問題点を解決するために、本発明は、バイパス河川トンネルを建設しないでダム建設をし、構造体組付け時間はボルトより短縮し、発電所においてはダム自体に建設をする事ができる。
【発明を実施するための最良の形態】
【０００５】  本発明は、連結はＣ字型連結ブロック（６）ストッパとした、中心一辺５ｍの辺部だけの正立方構造体の連結体で、河川水を通過できるようにして、底部には河川流を右岸左岸に交互に導き、放水圧可変吊り下げフィルターベン（１０）付水門（１１）を設置し、底部より上部は塞き止めプレート（８）を設置して、ダムシステムが行えるようにし、ダムシステム維持には、Ｌ字谷のＬ字形の上部側が塞き止めプレート（８）面を設置し、そして、Ｌ字形の下部側に位置する谷斜面に中心一辺５ｍの辺部だけの正立方構造体の連結体を食い込ませ、Ｌ字下部谷斜面自体に塞き止めプレート（８）面に係る貯水水圧を支えさせ、中心一辺５ｍの辺部だけの正立方構造体の連結体が造り出す、正立方構造体空間部に発電所施設を入れ込んだものである。
【実施例】
【０００６】  パイプ鋼（１）を上下左右前後方向に中心から１ｍ伸ばし、その先端位置にパイプ鋼連結縁付四角盤（２）で塞ぎ設置をし、その全の先端部までに筋交い機能・三角平面鋼（３）を溶着設置した、各両端間２ｍ六直角方向パイプ鋼連結具（４）で、両端連結縁付四角盤付３ｍパイプ鋼（５）を連結していける状態とし、地形がＬ字谷に成っている河川有り谷部に、各両端間２ｍ六直角方向パイプ鋼連結具（４）と両端連結縁付四角盤付３ｍパイプ鋼（５）で連結して、中心一辺５ｍの辺部だけの正立方構造体の連結によって、谷の底部より組上げて、谷を埋め込み、その各両端間２ｍ六直角方向パイプ鋼連結具（４）と両端連結縁付四角盤付３ｍパイプ鋼（５）自体の重量により、Ｌ字谷底面自体に各両端間２ｍ六直角方向パイプ鋼連結具（４）の末端部を食い込み状態にした、河川分流無しで建設可能な中心一辺５ｍ正立方構造体連結架橋ステシステムにする。【０００７】  請求項１記載の河川分流無しで建設可能な中心一辺５ｍ正立方構造体連結架橋ステシステム装置の連結において、パイプ鋼連結縁付四角盤（２）と両端連結縁付四角盤付３ｍパイプ鋼（５）のパイプ鋼連結縁付四角盤（２）は同型とし、対面させた後、どちらかの縁部の角部に現れるＬ字部の内側にスライドして、差し入れられるＬ字形ブロック付両サイド下部が縁分長いＣ字型連結ブロック（６）を設置し、そのＣ字型連結ブロック（６）のＣ字型は直角を有すＣ字型とし、その両Ｃ字型中間部から下部方向へ切り溝を先端面を残して設置し、その切り溝に貫通できる四角バー付先端楕円柱Ｔ字型一体バールストッパ（７）の四角バー部を切り溝に貫通させた後、先端楕円柱の先をパイプ鋼連結縁付四角盤（２）の縁の内面部に当て、そこを支点としたバール動作で楕円柱部を移動して、楕円柱部がパイプ鋼連結縁付四角形盤（２）の直角位置より少し過ぎた位置で止まって、Ｃ字型連結ブロック（６）の下部先端内側部とパイプ鋼連結縁付四角盤（２）の縁の内面部間にストッパ圧力を発生させるようにして、各両端間２ｍ六直角方向パイプ鋼連結具（４）と両端連結縁付四角盤付３ｍパイプ鋼（５）を連結させるＣ字型連結ブロックストッパにする。【０００８】  請求項１記載の河川分流無しで建設可能な中心一辺５ｍ正立方構造体連結架橋ステシステム装置の、Ｌ字谷の上流部側の各両端間２ｍ六直角方向パイプ鋼連結具（４）に、上流部河川水を塞き止め実施できる塞き止めプレート（８）を設置できるプレートステ（９）を設置して、そして、底部には河川流を右岸左岸に交互に導き、放水圧可変吊り下げフィルターベン（１０）付水門（１１）を設置し、その後、塞き止めプレート（８）を水漏れ処置をしながら組み上げ、各両端間２ｍ六直角方向パイプ鋼連結具（４）と両端連結縁付四角盤付３ｍパイプ鋼（５）から成る正立方構造体空間部内に、放水圧可変吊り下げフィルターベン（１０）付水門（１１）から放水管（１２）を設置し、その放水管（１２）に放水・水車管切替ベン（１３）付水車発電機（１４）を設置して、バイパス河川トンネル無用とボルト無用で建設でき、発電所も内蔵できる、放水圧可変吊り下げフィルターベン付ダムシステムにする。
【発明の効果】
【０００９】  本発明は、以上説明したような形態で実施され、以下に記載されるような効果を奏する。
【００１０】  各両端間２ｍ六直角方向パイプ鋼連結具（４）と両端連結縁付四角盤付３ｍパイプ鋼（５）で連結して、中心一辺５ｍの辺部だけの正立方構造体の連結体の構成であるので、ただ、組み上げ設置するだけで、全低部は架橋ステと成ってしまう。
【００１１】  全低部が架橋ステと成る事で、河川流を右岸左岸へ、交互に導ける事が可能である。
【００１２】  河川流を右岸左岸に交互に導ける事で、中心一辺５ｍの辺部だけの正立方構造体の連結体の上流部側に、バイパス河川トンネル無用で放水圧可変吊り下げフィルターベン（１０）付水門（１１）を設置させる事が可能である。
【００１３】  バイパス河川トンネル無用で放水圧可変吊り下げフィルターベン（１０）付水門（１１）を設置させる事で、その放水圧可変吊り下げフィルターベン（１０）付水門（１１）を全て閉じれば、このダムシステムに貯水をする事が可能である。
【００１４】  このダムシステムに初めて満水した際、初めて、中心一辺５ｍの辺部だけの正立方構造体の連結体に横方向の力が発生し、Ｌ字谷の下流部にある山部斜面に横方向力が発生する。この発生した横方向力が一辺５ｍの辺部だけの正立方構造体の連結体の建設自量による、Ｌ字谷の下流部にある山部斜面の食い込み圧で発生する横方向耐圧力が満水圧より少ない場合、中心一辺５ｍの辺部だけの正立方構造体の連結体のずれ発生だけで、連結体の破壊は無いので、満水の一気放水をなくす事が可能である。
【００１５】  この満水一気放水が無い事で、下流域の災害とはならず、後はずれ部の水漏れ補強工事で、このダムシステムが完成となる。また、ずれ部を発生させなくて、ダムシステム完成にさせる方法はＬ字谷の下流部にある山部斜面と連結体の間に据え置き機械式ジャッキを入れて行く方法もある。
【００１６】  ダムシステムが完成した後、各両端間２ｍ六直角方向パイプ鋼連結具（４）と両端連結縁付四角盤付３ｍパイプ鋼（５）から成る正立方構造体空間部内に、放水圧可変吊り下げフィルターベン（１０）付水門（１１）からの放水管（１２）と放水・水車管切替ベン（１３）付水車発電機（１４）を設置する事が可能である。
【００１７】  従来のダムは、バイパス河川トンネル・発電所建設費だけではなく、ダム部だけで貯水圧を受け止めなくては成らなかったので、基礎工事費は膨大に成るが、本発明のダムシステムは、Ｌ字谷下流部谷斜面に貯水圧が加わる分、基礎工事費を削減させる事が可能である。
【００１８】  本発明の中心一辺５ｍ正立方構造体連結架橋ステシステムのダムシステム維持強度構造体連結作業はＣ字型連結ブロック（６）に四角バー付先端楕円柱Ｔ字型一体バールストッパ（７）を差し込んで、バール作業工程を２度する４カ所で、一面連結が完了なので、ボルト使用作業時間より作業時間を短縮させる事が可能である。
【図面の簡単な説明】
【図１】  各両端間２ｍ六直角方向パイプ鋼連結具に筋交い機能・三角平面鋼が、溶着されていない時の斜視図である。
【図２】  各両端間２ｍ六直角方向パイプ鋼連結具の斜視図である。
【図３】  両端連結円盤付３ｍパイプ鋼の斜視図である。
【図４】  左側を上流部に記したダムシステム装置の側断面図である。
【図５】  左側を上流部に記したダムシステム装置低部の平断面図である。
【図６】  パイプ鋼連結縁付角盤の上方向からの斜視図である。
【図７】  パイプ鋼連結縁付角盤の下方向からの斜視図である。
【図８】  Ｃ字型連結ブロックの外方向からの斜視図である。
【図９】  Ｃ字型連結ブロックの内方向からの斜視図である。
【図１０】  四角バー付先端楕円柱Ｔ字型一体バールストッパの斜視図である。
【図１１】  両パイプ鋼連結縁付角盤を対面させ、Ｃ字型連結ブロックを角部に設置後、四角バー付先端楕円柱Ｔ字型一体バールストッパを購入した際の断面図である。
【図１２】  四角バー付先端楕円柱Ｔ字型一体バールストッパを購入後、それを９０度移動して、両パイプ鋼連結縁付四角盤に挟み圧を発生させている際の断面図である。
【符号の説明】
１‥‥パイプ鋼
２‥‥パイプ鋼連結縁付四角盤
３‥‥筋交い機能・三角平面鋼
４‥‥各両端間２ｍ六直角方向パイプ鋼連結具
５‥‥両端連結縁付四角盤付３ｍパイプ鋼
６‥‥Ｃ字型連結ブロック
７‥‥四角バー付先端楕円柱Ｔ字型一体バールストッパ
８‥‥塞き止めプレート
９‥‥プレートステ
１０‥‥放水圧可変吊り下げフィルターベン
１１‥‥水門
１２‥‥放水管
１３‥‥放水・水車管切替ベン
１４‥‥水車発電機
１５‥‥ウインチワイヤ
【図１】
2005194856.tif 000003
【図４】
2005194856.tif 000004
【図６】
2005194856.tif 000005
【図８】
2005194856.tif 000006
【図１０】
2005194856.tif 000007
【図１２】
2005194856.tif 000008
【手続補正書】
【提出日】平成16年6月2日(2004.6.2)
【手続補正１】
【補正対象書類名】図面
【補正対象項目名】全図
【補正方法】変更
【補正の内容】
【図１】
2005194856.tif 000009
【図２】
2005194856.tif 000010
【図３】
2005194856.tif 000011
【図４】
2005194856.tif 000012
【図５】
2005194856.tif 000013
【図６】
2005194856.tif 000014
【図７】
2005194856.tif 000015
【図８】
2005194856.tif 000016
【図９】
2005194856.tif 000017
【図１０】
2005194856.tif 000018
【図１１】
2005194856.tif 000019
【図１２】
2005194856.tif 000020